(57)【要約】【課題】外部記憶装置を介して持ち込まれたコンテンツデータに対して直観的に再生の優先度を設定する。【解決手段】車載装置１は、コンテンツデータが記憶された１以上の外部記憶装置２と有線または無線で通信を行う。車載装置１の制御部１２は、位置検出処理１２ａを実行して外部記憶装置２の各位置を検出する。車載装置１の制御部１２は、位置検出処理１２ａにより位置を検出された外部記憶装置２の各々について、優先度設定処理１２ｂを実行してコンテンツデータの再生の優先度を設定する。車載装置１の制御部１２は、位置検出処理１２ａにより位置を検出された外部記憶装置２の各位置と、優先度設定処理１２ｂにより設定された再生優先度とを表示モニタ１３ａの画面上に表示する。【選択図】図２
2013019990.tif 000002
【特許請求の範囲】
【請求項１】
車両に搭載される車載装置であって、
コンテンツデータが記憶された１以上の外部記憶装置が存在する前記車両内の各位置に対応する前記車両の座席位置を検出する位置検出手段と、
前記１以上の外部記憶装置の各々について、前記コンテンツデータの再生の優先度を設定する優先度設定手段と、
前記１以上の外部記憶装置の各々について、前記優先度設定手段により設定された優先度と前記車両の座席位置とを関連付けて画面上に表示する表示手段と、
前記優先度設定手段により設定された前記１以上の外部記憶装置の優先度に基づいて、前記１以上の外部記憶装置に記憶された前記コンテンツデータを再生する再生手段と、
を備えることを特徴とする車載装置。
【請求項２】
請求項１に記載の車載装置において、
前記表示手段は、前記車両の座席配置に応じた複数の表示領域を前記画面に表示し、前記１以上の外部記憶装置の各優先度を、前記複数の表示領域のうち当該外部記憶装置の座席位置に対応する表示領域内に表示することを特徴とする車載装置。
【請求項３】
請求項１または２に記載の車載装置において、
前記１以上の外部記憶装置のいずれか一つを有線接続するための複数の有線接続部を有し、前記１以上の外部記憶装置と前記有線接続部を介して有線通信を行う有線通信手段と、
前記１以上の外部記憶装置と無線接続するための無線接続部を複数有し、前記１以上の外部記憶装置と前記複数の無線接続部を介して無線通信を行う無線通信手段と、
をさらに備え、
前記複数の有線接続部の各々は、前記車両の座席に対応して設置され、
前記位置検出手段は、（１）前記有線通信手段により有線通信している外部記憶装置については、当該外部記憶装置が有線接続している前記有線接続部に基づいて、当該外部記憶装置の位置を検出し、（２）前記無線通信手段により無線通信している外部記憶装置については、前記複数の無線接続部が受信した電界強度に基づいて、当該外部記憶装置の位置を検出することを特徴とする車載装置。
【請求項４】
請求項３に記載の車載装置において、
前記表示手段は、前記１以上の外部記憶装置の各々について、前記優先度設定手段により設定された優先度と、前記車両の座席位置と、当該１以上の外部記憶装置との通信が前記有線通信および前記無線通信のいずれであるかを示す表示とを関連付けて画面上に表示することを特徴とする車載装置。
【請求項５】
請求項１から４のいずれか一項に記載の車載装置において、
前記１以上の外部記憶装置の各々に記憶されているコンテンツデータに関する情報を、当該外部記憶装置から取得するデータ情報取得手段と、
前記表示手段は、前記データ情報取得手段により前記１以上の外部記憶装置の各々から取得した前記コンテンツデータに関する情報に基づいて、前記優先度設定手段により設定された優先度の表示態様を決定することを特徴とする車載装置。
【請求項６】
請求項５に記載の車載装置において、
前記コンテンツデータに関する情報は、前記１以上の外部記憶装置の各々に記憶されている各コンテンツデータのファイル名、ファイル種類、およびアーティスト情報のいずれか少なくとも一つを含むことを特徴とする車載装置。
【発明の詳細な説明】
【技術分野】
【０００１】
本発明は、コンテンツデータを記憶する外部記憶装置を接続可能な車載装置に関する。
【背景技術】
【０００２】
特許文献１の発明では、音楽データを保有する携帯音響機器と通信を行い、携帯音響機器から音楽データを受信し、再生する音響機器についての記載がある。
【先行技術文献】
【特許文献】
【０００３】
【特許文献１】特開２００１−２９６８７５号公報
【発明の概要】
【発明が解決しようとする課題】
【０００４】
本発明は、外部記憶装置を介して持ち込まれたコンテンツデータに対して直観的に再生の優先度を設定することを目的とする。
【課題を解決するための手段】
【０００５】
本発明による車載装置は、車両に搭載される車載装置であって、コンテンツデータが記憶された１以上の外部記憶装置が存在する車両内の各位置に対応する車両の座席位置を検出する位置検出手段と、１以上の外部記憶装置の各々について、コンテンツデータの再生の優先度を設定する優先度設定手段と、１以上の外部記憶装置の各々について、優先度設定手段により設定された優先度と車両の座席位置とを関連付けて画面上に表示する表示手段と、優先度設定手段により設定された１以上の外部記憶装置の優先度に基づいて、１以上の外部記憶装置に記憶されたコンテンツデータを再生する再生手段と、備えることを特徴とする。
【発明の効果】
【０００６】
外部記憶装置を介して持ち込まれたコンテンツデータに対して直観的に再生の優先度を設定することができる。
【図面の簡単な説明】
【０００７】
【図１】本発明の一実施形態による車載装置を搭載した車両の概略平面図の一例である。
【図２】本発明の一実施形態による車載装置の一構成例を示すブロック図である。
【図３】コンテンツデータ再生の優先度設定を行う画面の一例である。
【図４】本発明の一実施形態による車載装置におけるコンテンツの再生に関するフローチャートの一例である。
【発明を実施するための形態】
【０００８】
図１は、本発明の一実施形態による車載装置を搭載した車両の概略平面図の一例である。図１に示す車両１００のダッシュボード中央には、本発明の一実施形態による車載装置１が搭載されている。車両１００の前部には、一対の車内無線アンテナ１０１が設けられており、車載装置１に接続されている。一対の車内無線アンテナ１０１は、それぞれ指向性が付与された無線通信信号を送信したり、車両１００の車内から発せられた無線通信信号を受信したりする。また、車両１００の左右にある後部ドアにはそれぞれ有線接続ポート１０２が設けられており、車載装置１に接続されている。
【０００９】
図２は、車載装置１の一構成例を示すブロック図である。車載装置１は、通信部１１と制御部１２と再生部１３と入力部１４とを備える。通信部１１は、一対の車内無線アンテナ１０１や有線接続ポート１０２などが接続されており、一対の車内無線アンテナ１０１や有線接続ポート１０２などを介して外部記憶装置２と通信を行う。なお、通信部１１には、助手席用の有線接続ポートと運転席用の有線接続ポートとを有しており、外部記憶装置２と通信可能である。車載装置１は、外部記憶装置２と有線または無線により通信を行うことにより、外部記憶装置２に記憶されているコンテンツデータや、その情報（コンテンツリスト等）を読み出すことができるようになる。
【００１０】
外部記憶装置２は、車両１００に乗車した人間が車両１００に持ち込んだ携帯電話や、ＵＳＢメモリ、ノートパソコンなどである。外部記憶装置２は、内部に音楽や動画などのコンテンツのコンテンツデータを記憶している。外部記憶装置２は、一対の車内無線アンテナ１０１や有線接続ポート１０２に接続することにより、車載装置１と通信することができる。
【００１１】
制御部１２は、マイクロプロセッサや各種周辺回路、ＲＡＭ、ＲＯＭなどによって構成される。制御部１２は、通信部１１と再生部１３と入力部１４とを制御して、後述する位置検出処理１２ａと優先度設定処理１２ｂと位置表示処理１２ｃとを含む車載装置１の各種処理を実行する。
【００１２】
再生部１３は、表示モニタ１３ａやスピーカ１３ｂなどを含み、制御部１２の制御に従って１以上の外部記憶装置２に記憶されているコンテンツデータを再生する。入力部１４は、各種スイッチ類や、操作パネル、リモコン、表示モニタ１３ａと一体化されたタッチパネルなどで構成される。ユーザは、入力部１４を介して車載装置１の操作や情報入力を行うことができる。
【００１３】
位置検出処理１２ａについて説明する。位置検出処理１２ａでは、制御部１２は通信部１１と通信する外部記憶装置２の位置を検出する。たとえば、外部記憶装置２が有線接続ポート１０２を介して通信部１１と通信している場合は、該有線接続ポート１０２が設けられている後部ドア近傍の座席に該外部記憶装置２があるものとして検出する。また、外部記憶装置２が通信部１１に設けられた助手席用の有線接続ポートに接続されている場合は車両１００の助手席に外部記憶装置２があるものとして検出する。外部記憶装置２が通信部１１に設けられた運転席用の有線接続ポートに接続されている場合は車両１００の運転席に外部記憶装置２があるものとして検出する。また、外部記憶装置２と通信部１１とが車内無線アンテナ１０１を介して無線通信を行っている場合、制御部１２は、一対の車内無線アンテナ１０１のそれぞれが受信した電界強度等に基づいて、外部記憶装置２の位置を検出する。
【００１４】
優先度設定処理１２ｂについて説明する。優先度設定処理１２ｂでは、制御部１２は通信部１１と通信する外部記憶装置２の各々に対して再生優先度を設定する。車載装置１では、再生優先度が高く設定された外部記憶装置２からコンテンツデータを読み出して再生部１３にてコンテンツを再生する。再生優先度が高い外部記憶装置２に記憶されているコンテンツデータをすべて再生したら次に再生優先度が高い外部記憶装置２からコンテンツデータを読み出す。
【００１５】
優先度設定処理１２ｂにおいて、外部記憶装置２の各々に対して再生優先度を設定する方法は、たとえば無作為に設定してもよいし、有線通信を行っている外部記憶装置２の優先度を高く設定してもよいし、記憶しているコンテンツデータが多い外部記憶装置２の優先度を高く設定してもよい。
【００１６】
位置表示処理１２ｃについて説明する。位置表示処理１２ｃは、位置検出処理１２ａにより検出された外部記憶装置２の位置に基づいて、図３に示すような優先度設定画面３００に外部記憶装置２の位置を表示モニタ１３ａに表示する。
【００１７】
図３は、表示モニタ１３ａに表示される位置表示画面の一例を示す。図３に示される優先度設定画面３００には、助手席表示欄３０１と、運転席表示欄３０２と、左側後部座席表示欄３０３と、中央後部座席表示欄３０４と、右側後部座席表示欄３０５と、コンテンツ種別ボタン３０６と、ファイル数ボタン３０７と、アーティストボタン３０８と、優先度再設定ボタン３０９と、再生開始ボタン３１０とが表示されている。また、助手席表示欄３０１と左側後部座席表示欄３０３と右側後部座席表示欄３０５とには、それぞれ位置検出処理１２ａにより検出された外部記憶装置２の位置表示アイコン３２１〜３２３が表示されている。このように外部記憶装置２が存在する座席に対応する位置に位置表示アイコン３２１〜３２３が表示されることにより、ユーザは直感的かつ正確に外部記憶装置２を識別することができる。
【００１８】
助手席表示欄３０１は、位置検出処理１２ａにより助手席上に位置していることが検出された外部記憶装置２について、情報を表示する欄である。運転席表示欄３０２は、位置検出処理１２ａにより運転席上に位置していることが検出された外部記憶装置２について、情報を表示する欄である。助手席と運転席とが車両１００の前方で並んでいることを模して、優先度設定画面３００において助手席表示欄３０１と運転席表示欄３０２とは横並びに配されている。
【００１９】
左側後部座席表示欄３０３は、位置検出処理１２ａにより左側後部座席上に位置していることが検出された外部記憶装置２について、情報を表示する欄である。中央後部座席表示欄３０４は、位置検出処理１２ａにより中央後部座席上に位置していることが検出された外部記憶装置２について、情報を表示する欄である。右側後部座席表示欄３０５は、位置検出処理１２ａにより右側後部座席上に位置していることが検出された外部記憶装置２について、情報を表示する欄である。車両１００における後部座席の並びを模して、優先度設定画面３００において、左側後部座席表示欄３０３と中央後部座席表示欄３０４と右側後部座席表示欄３０５とが横並びに配されている。
【００２０】
コンテンツ種別ボタン３０６とファイル数ボタン３０７とアーティストボタン３０８とは、位置表示アイコン３２１〜３２３を介して表示する外部記憶装置２に記憶されているコンテンツデータに関する情報を変更するためのボタンである。
【００２１】
位置表示アイコン３２１〜３２３のように、外部記憶装置２の位置を示す位置表示アイコンには、対応する外部記憶装置２の各々が車載装置１の通信部１１と有線通信および無線通信のいずれをしているかを示す情報を表示する。位置表示アイコン３２１および３２２に対応する外部記憶装置２は、車載装置１の通信部１１と有線通信をしているため、「有線」という文字が各アイコン内に表示されている。位置表示アイコン３２３に対応する外部記憶装置２は、車載装置１の通信部１１と無線通信をしているため、「無線」という文字が各アイコン内に表示されている。
【００２２】
また、位置表示アイコン３２１〜３２３のように、外部記憶装置２の位置を示す位置表示アイコンには、優先度設定処理１２ｂにより設定された外部記憶装置２の再生優先度が表示される。車載装置１は、再生優先度が高く設定されている外部記憶装置２からコンテンツデータを読み出して再生部１３を介して読み出したコンテンツを再生する。図３の例では、位置表示アイコン３２１に対応する外部記憶装置２の再生優先度が最も高く設定されており、「有線」の文字表示の横に再生優先度を表す「１」が表示されている。同様に、位置表示アイコン３２２には、２番目に再生優先度が高いことを示す「２」が「有線」の文字表示の横に表示されている。そして、位置表示アイコン３２３には、３番目に再生優先度が高いことを示す「３」が「無線」の文字表示の横に表示されている。
【００２３】
さらに、位置表示アイコン３２１〜３２３は、対応する外部記憶装置２に記憶されているコンテンツデータの傾向に基づいて、背景色や文字色などの表示態様が決定される。位置表示アイコンの表示態様が何に基づいて決定されるかは、前述のコンテンツ種別ボタン３０６とファイル数ボタン３０７とアーティストボタン３０８とを、入力部１４を介して選択される。図３の例では、コンテンツ種別ボタン３０６が選択されており、その背景色や文字色などの表示態様がファイル数ボタン３０７およびアーティストボタン３０８と異なっている。
【００２４】
コンテンツ種別ボタン３０６が選択されているとき、位置表示アイコンの表示態様は、対応する外部記憶装置２に最も多く記憶されているコンテンツ種別（動画や音楽など）に基づいて決定される。たとえば、外部記憶装置２に動画データが多く記憶されているときは位置表示アイコン３２１のように黒色背景に白色文字のアイコンを表示し、外部記憶装置２に音楽データが多く記憶されているときは位置表示アイコン３２２、３２３のように白色背景に黒色文字のアイコンを表示する。このようにすることでユーザが所定種別のコンテンツを再生したいときにどの外部記憶装置２にその種別のコンテンツが多く含まれるかを認識することが容易となる。
【００２５】
ファイル数ボタン３０７が選択されているとき、位置表示アイコンの表示態様は、対応する外部記憶装置２に記憶されているコンテンツデータのファイル数に基づいて決定される。たとえば、外部記憶装置２に所定個数（たとえば１０個）以上のコンテンツデータが記憶されているときは位置表示アイコン３２１のような黒色背景に白色文字のアイコンを表示し、外部記憶装置２に所定個数（たとえば１０個）未満のコンテンツデータが記憶されているときは位置表示アイコン３２２、３２３のような白色背景に黒色文字のアイコンを表示することにすればよい。このようにすることにより、ユーザがコンテンツデータの少ない外部記憶装置２を認識することができ、その外部記憶装置２についてバッテリの容量の浪費を防ぐ目的で外部記憶装置２の電源を落とす判断を容易にできるようになる。
【００２６】
アーティストボタン３０８が選択されているときは、１以上の外部記憶装置２について、共通するアーティストのコンテンツが含まれる外部記憶装置２の表示態様を同一のものに変更する。このようにすることにより、ユーザは同じアーティストのコンテンツを集中的に再生できるようになる。各コンテンツのアーティスト情報は、各コンテンツデータに付加されているとき識別できる。
【００２７】
優先度再設定ボタン３０９は、優先度設定処理１２ｂにより設定された優先度の再設定を開始するためのボタンである。たとえば、ユーザが入力部１４を介して優先度再設定ボタン３０９を選択した後、位置表示アイコン３２１〜３２３を選択すると、選択した順番に再生優先度が再設定される。また、ユーザが入力部１４を介して優先度再設定ボタン３０９を選択した後にコンテンツ種別ボタン３０６を選択した場合は、たとえば動画データがより多く記憶されている外部記憶装置２の優先度がより高く設定されるように再設定を行う。さらに、ユーザが入力部１４を介して優先度再設定ボタン３０９を選択した後にファイル数ボタン３０７を選択した場合は、たとえばコンテンツデータが多く記憶されている外部記憶装置２の優先度がより高く設定されるように再設定を行う。
【００２８】
再生開始ボタン３１０は、１以上の外部記憶装置２に記憶されたコンテンツデータの再生を開始するためのボタンである。再生開始ボタン３１０が入力部１４を介して選択されると、再生優先度が最も高く設定された（または再設定された）外部記憶装置２からコンテンツデータを読出し、再生部１３にてコンテンツを再生する。再生優先度が最も高く設定された外部記憶装置２について、記憶されているコンテンツデータをすべて再生し終わったときは、次に再生優先度の高い外部記憶装置２からコンテンツデータの読出し、コンテンツの再生を開始する。以降、通信部１１と通信している外部記憶装置２について記憶されているコンテンツデータをすべて再生し終わるまで処理を繰り返す。
【００２９】
図４は、車載装置１におけるコンテンツの再生に関するフローチャートの一例である。ステップＳ１００では、車載装置１の制御部１２は、位置検出処理１２ａを実行して、車載装置１と有線または無線で接続され、通信を実行している外部記憶装置２の位置を検出する。ステップＳ１１０では、制御部１２は、優先度設定処理１２ｂを実行して、ステップＳ１００で検出された外部記憶装置２について優先度を設定する。
【００３０】
ステップＳ１２０では、制御部１２は、位置表示処理１２ｃを実行して、ステップＳ１００で検出された外部記憶装置２について、その位置とステップＳ１１０で設定された再生優先度とを表示モニタ１３ａに表示する。
【００３１】
ステップＳ１３０では、制御部１２は、再生優先度を再設定するか否かを判定する。たとえば、優先度再設定ボタン３０９が入力部１４を介して選択されたか否かを判定する。再生優先度を再設定する場合はステップＳ１４０に進み、そうでない場合はステップＳ１５０に進む。ステップＳ１４０では、制御部１２は、ユーザによる外部記憶装置２の再生優先度の再設定を受け付ける。
【００３２】
ステップＳ１５０では、制御部１２は、コンテンツの再生を開始するか否かを判定する。たとえば、再生開始ボタン３１０が入力部１４を介して選択されたか否かを判定する。コンテンツの再生を開始する場合はステップＳ１６０に進み、開始しない場合はステップＳ１３０に戻る。ステップＳ１６０では、制御部１２は、再生優先度の高い外部記憶装置２に記憶されているコンテンツデータを読出し、再生を開始する。
【００３３】
以上説明した実施の形態によれば、次の作用効果を奏する。
車載装置１は、車両１００に搭載され、コンテンツデータが記憶された１以上の外部記憶装置２と通信を行う。車載装置１の制御部１２は、位置検出処理１２ａを実行して外部記憶装置２の各位置を検出する。車載装置１の制御部１２は、位置検出処理１２ａにより位置を検出された外部記憶装置２の各々について、優先度設定処理１２ｂを実行してコンテンツデータの再生の優先度を設定する。車載装置１の制御部１２は、位置検出処理１２ａにより位置を検出された外部記憶装置２の各位置と、優先度設定処理１２ｂにより設定された再生優先度とを関連付けて表示モニタ１３ａの画面上に表示する。車載装置１の制御部１２は、設定された外部記憶装置２の再生優先度に基づいて、外部記憶装置２に記憶されたコンテンツデータを再生部１３において再生する。これにより、外部記憶装置２を介して持ち込まれたコンテンツデータに対して直観的に再生の優先度を設定することができる。
【００３４】
以上説明した実施の形態は、次のように変形してもよい。
車載装置１が再生する外部記憶装置２に記憶されているコンテンツデータを再生するものとしたが、外部記憶装置２以外に記憶されているコンテンツデータを再生可能に構成してもよい。たとえば、車載装置１に備わる不図示のハードディスクなどの記憶媒体に記憶されたコンテンツデータを再生することにしてもよい。このとき、車載装置１の記憶媒体も再生優先度を設定する対象としてもよい。
【００３５】
有線接続ポート１０２は、後部座席用に車両１００の後部ドアに設けることとしたが、前部ドアや中央後部座席の周囲にも設けることとしてもよい。助手席側の前部ドアに設けられた有線接続ポート１０２に接続された外部記憶装置２は、位置検出処理１２ａにより助手席上に位置していることが検出される。同様に運転席側の前部ドアに設けられた有線接続ポート１０２に接続された外部記憶装置２は、位置検出処理１２ａにより運転席上に位置していることが検出される。中央後部座席の周囲に設けられた有線接続ポート１０２に接続された外部記憶装置２は、位置検出処理１２ａにより中央後部座席上に位置していることが検出される。
【００３６】
以上説明した実施の形態や各種の変形例はあくまで一例であり、発明の特徴が損なわれない限り、本発明はこれらの内容に限定されない。
【符号の説明】
【００３７】
１  車載装置
２  外部記憶装置
１１  通信部
１２  制御部
１２ａ  位置検出処理
１２ｂ  優先度設定処理
１２ｃ  位置表示処理
１３  再生部
１４  入力部
１０１  車内無線アンテナ
１０２  有線接続ポート
３００  優先度設定画面
３０１  助手席表示欄
３０２  運転席表示欄
３０３  左側後部座席表示欄
３０４  中央後部座席表示欄
３０５  右側後部座席表示欄
３０６  コンテンツ種別ボタン
３０７  ファイル数ボタン
３０８  アーティストボタン
３０９  優先度再設定ボタン
３１０  再生開始ボタン
３２１〜３２３  位置表示アイコン
【図１】
2013019990.tif 000003
【図２】
2013019990.tif 000004
【図３】
2013019990.tif 000005
【図４】
2013019990.tif 000006